(57)【要約】【目的】  医療や介護の場で介護者（看護師を含む）に介護（看護を含む）される被介護者のおむつから便や尿が漏れ出た場合でも、漏れ出た便や尿が敷布団やマットレス、上方の掛け布団、及び被介護者の来ている衣服を汚すことがないようにし、おむつ交換時の介護者の負担を大幅に軽減する。【構成】  敷布団又はマットレスの上に配置されるシーツ本体と、シート状おむつと、前記シーツ本体に備えられた係止部であって、前記シーツ本体中の被介護者の腰及び腿並びにその周辺部分と対向する部分が全体として被介護者の腰及び腿をくるむ略筒状となるように、前記シーツ本体中の被介護者から見て各左右方向の縁部及びその周辺部分を互いに固定する係止部とを備えた、おむつ交換を容易化する医療又は介護用シーツである。【選択図】    図１
2015226583.tif 000002
【特許請求の範囲】
【請求項１】
敷布団又はマットレスの上に配置されるシーツであって、少なくとも「被介護者の腰及び腿、並びに当該腰及び腿から被介護者から見て左右両方向に少なくとも４００ｍｍ以上延びる領域」と対向するように配置されるシーツ本体と、
前記シーツ本体の上に配置する、被介護者から見て上下方向に少なくとも４００ｍｍ以上及び左右方向に少なくとも７００ｍｍ以上のサイズを有するシート状おむつと、
前記シーツ本体に備えられた係止部であって、前記シーツ本体中の前記「被介護者の腰及び腿、並びに当該腰及び腿から被介護者から見て左右方向に少なくとも４００ｍｍ以上延びる領域」と対向する部分が全体として被介護者の腰及び腿をくるむ略筒状となるように、前記シーツ本体中の被介護者から見て右側方向の縁部又はその周辺部分と、前記シーツ本体中の被介護者から見て左側方向の縁部又はその周辺部分とを互いに固定する係止部と、
を備えた、おむつ交換を容易化する医療又は介護用シーツ。
【請求項２】
前記係止部は、前記シーツ本体中の被介護者から見て右側方向の縁部又はその周辺部分、及び同左側方向の縁部又はその周辺部分のいずれか一方に固定されたスナップボタンの凹状部分と、同いずれか他方に固定された前記凹状部分に嵌合可能なスナップボタンの凸状部分とから構成されるものである、請求項１に記載のおむつ交換を容易化する医療又は介護用シーツ。
【請求項３】
前記シーツ本体は、前記シート状おむつが前記シーツ本体に対して位置ズレしないようにするズレ防止手段を備えている、請求項１又は２に記載のおむつ交換を容易化する医療又は介護用シーツ。
【請求項４】
前記ズレ防止手段は、前記シーツ本体中の前記シート状おむつの外周縁部と対向する複数箇所にそれぞれ固定された、スナップボタンの凹状部分又はこれに嵌合可能なスナップボタンの凸状部分を含むものである、請求項３に記載のおむつ交換を容易化する医療又は介護用シーツ。
【請求項５】
前記シーツ本体は、更に、前記ズレ防止手段としてのスナップボタンの凹状部分又は凸状部分を覆うカバー体を備えている、請求項４に記載のおむつ交換を容易化する医療又は介護用シーツ。
【発明の詳細な説明】
【技術分野】
【０００１】
本発明は医療又は介護の現場において使用する、おむつ交換を容易化する医療又は介護用シーツに関する。
【背景技術】
【０００２】
従来より、寝たきりの老人などに適した介護用シーツが種々提案されている。例えば特許文献１は、タオル生地と防水シートを張り合せて外周縁部の複数箇所に取っ手を付けた防水タオルシーツを提案している。このような防水タオルシーツは、被介護者のおむつから漏れ出た便や尿が下方の敷布団やマットレスを汚すことを防止することができると共に、介護者は前記取っ手を使用することにより容易に被介護者の身体の移動や向き変えを行うことができるなどのメリットを有するものとされている。
【先行技術文献】
【特許文献】
【０００３】
【特許文献１】実用新案登録第３０７３８６２号公報
【発明の概要】
【発明が解決しようとする課題】
【０００４】
前記特許文献１に示すような防水タオルシーツは、確かに、被介護者のおむつから漏れ出た便や尿が下方の敷布団やマットレスを汚すことを防止することができる。
【０００５】
しかしながら、被介護者のおむつから便や尿が漏れ出た場合、漏れ出た便や尿は、下方の敷布団やマットレスを汚すだけでなく、上方の掛け布団、被介護者の来ている衣服（パジャマのズボンなど）をも汚すことになる。そのため、従来より、被介護者のおむつから便や尿が漏れ出た場合のおむつ交換時の処理が、介護者にとって大きな負担となっていた。
【０００６】
本発明はこのような従来技術の問題点に着目してなされたものであって、医療や介護の場で介護者（看護師を含む）に介護（看護を含む）される被介護者のおむつから便や尿が漏れ出た場合でも、漏れ出た便や尿が「下方の敷布団やマットレス、上方の掛け布団、及び被介護者の着ている衣服」を汚すことがないようにし、これにより被介護者のおむつから便や尿が漏れ出た場合における「おむつ交換等を行う介護者の負担」を大幅に軽減することができる、おむつ交換を容易化する医療又は介護用シーツを提供することを目的とする。
【課題を解決するための手段】
【０００７】
以上のような課題を解決するための本発明によるおむつ交換を容易化する医療又は介護用シーツは、敷布団又はマットレスの上に配置されるシーツ本体であって、少なくとも「被介護者の腰及び腿、並びに当該腰及び腿から被介護者から見て左右両方向に少なくとも４００ｍｍ以上延びる領域」と対向するように配置されるシーツ本体と、前記シーツ本体の上に配置する、被介護者から見て上下方向に少なくとも４００ｍｍ以上及び左右方向に少なくとも７００ｍｍ以上のサイズを有するシート状おむつと、前記シーツ本体に備えられた係止部であって、前記シーツ本体中の前記「被介護者の腰及び腿、並びに当該腰及び腿から被介護者から見て左右方向に少なくとも４００ｍｍ以上延びる領域」と対向する部分が全体として被介護者の腰及び腿をくるむ（包む）略筒状となるように、前記シーツ本体中の被介護者から見て右側方向の縁部又はその周辺部分と、前記シーツ本体中の被介護者から見て左側方向の縁部又はその周辺部分とを互いに固定する係止部と、を備えたものである。
【０００８】
また、本発明によるおむつ交換を容易化する医療又は介護用シーツにおいては、前記係止部は、前記シーツ本体中の被介護者から見て右側方向の縁部又はその周辺部分、及び同左側方向の縁部又はその周辺部分のいずれか一方に固定されたスナップボタンの凹状部分と、同いずれか他方に固定された前記凹状部分に嵌合可能なスナップボタンの凸状部分とから構成されるものであってもよい。
【０００９】
また、本発明によるおむつ交換を容易化する医療又は介護用シーツにおいては、前記シート状おむつが前記シーツ本体に対して位置ズレしないようにするズレ防止手段を更に備えることが望ましい。
【００１０】
また、本発明によるおむつ交換を容易化する医療又は介護用シーツにおいては、前記ズレ防止手段は、前記シーツ本体中の前記シート状おむつの外周縁部と対向する複数箇所にそれぞれ固定された、スナップボタンの凹状部分又はこれに嵌合可能なスナップボタンの凸状部分を含むものであってもよい。
【００１１】
さらに、本発明によるおむつ交換を容易化する医療又は介護用シーツにおいては、前記シーツ本体は、前記ズレ防止手段としてのスナップボタンの凹状部分又は凸状部分を覆うカバー体を備えるようにしてもよい。
【発明の効果】
【００１２】
本発明においては、前記係止部により、前記シーツ本体中の前記「被介護者の腰及び腿、並びに当該腰及び腿から被介護者から見て左右方向に少なくとも４００ｍｍ以上（又は５００ｍｍ以上、又は６００ｍｍ以上）延びる領域」と対向する部分が全体として「被介護者の腰及び腿をくるむ（包む）略筒状」となるように、前記シーツ本体中の被介護者から見て右側方向の縁部又はその周辺部分と、前記シーツ本体中の被介護者から見て左側方向の縁部又はその周辺部分とを互いに固定するようにしている。このように、本発明においては、前記シーツ本体が、被介護者の腰及び腿の左右上下を含む全体を覆う（包む）ように略筒状に形成されると共に、前記シート状おむつが、被介護者の腰及び腿の少なくとも下側と左右を覆う（包む）ように（より望ましくは、被介護者の腰及び腿の左右上下を含む全体を覆う（包む）ように）形成される。よって、本発明によれば、被介護者の腰及び腿の全体が、前記シート状おむつが取り付けられた前記シーツ本体により覆われる（包まれる）ようになるので、もし被介護者のおむつから便や尿が漏れ出た場合でも、漏れ出た便や尿が「被介護者の下方の敷布団やマットレス」だけでなく「被介護者の上方の掛け布団」をも汚さないようにすることができる。なお、前記シート状おむつが取り付けられた前記シーツ本体が「おむつから漏れ出た便や尿」により汚されても、前記シート状おむつは使い捨て製品であり、且つ前記シーツ本体は容易に洗濯できるものなので、特に不都合はない。
【００１３】
また、本発明では、特に寝たきりの被介護者などの場合において、前述のように被介護者の腰及び腿の左右上下を含む全体が前記シーツ本体により覆われている（包まれている）ので、おむつをはいた状態のまま（すなわち、パジャマのズボンなどを着用しない状態のまま）でも、被介護者が羞恥心を抱くなどの不都合はほとんど生じない。よって、本発明によれば、特に寝たきりの被介護者などの場合に、おむつをはいた状態のまま（すなわち、パジャマのズボンなどをはかない状態のまま）、前記シーツ本体が被介護者の腰及び腿の全体を覆う（包む）ようにすることにより、もし被介護者のおむつから便や尿が漏れ出た場合でも、漏れ出た便や尿が「被介護者の下方の敷布団やマットレス」及び「被介護者の上方の掛け布団」だけでなく、「被介護者の着ている衣服（パジャマのズボンなど）」をも汚さないようにすることができる。
【００１４】
また、本発明において、前記係止部を、前記シーツ本体中の前記左右各縁部又はその周辺部分にそれぞれ固定されたスナップボタンの凹状部分及びこれに嵌合可能なスナップボタンの凸状部分により構成したときは、介護者は、被介護者を前記シーツ本体及びシート状おむつの上に寝かせた後、被介護者の腰及び腿を前記シーツ本体（及びシート状おむつ）でくるむことを、極めて効率的かつ容易に行えるようになる。
【００１５】
また、本発明において、前記シート状おむつが前記シーツ本体に対して位置ズレしないようにするズレ防止手段を備えたときは、被介護者を前記シーツ本体及びシート状おむつの上に寝かせた後、被介護者の腰及び腿を前記シーツ本体（及びシート状おむつ）でくるんだ後に、被介護者の動きにより前記シート状おむつが前記シーツ本体に対して位置ズレしてしまう不都合を防止することができる。
【００１６】
また、本発明において、前記ズレ防止手段を、前記シーツ本体中の前記シート状おむつの外周縁部と対向する複数箇所にそれぞれ固定されたスナップボタンの凹状部分（又は凸状部分）により構成したときは、介護者は、前記シーツ本体の上にシート状おむつを配置した後、前記シート状おむつの外周縁部の上から前記スナップボタンの凹状部分（又は凸状部分）に向けてスナップボタンの凸状部分（又は凹状部分）を前記シート状おむつの外周縁部を介して嵌めるという単純な作業を複数箇所について行うだけで、極めて効率的に、前記の「被介護者の動きによりシート状おむつがシーツ本体に対して位置ズレしてしまう不都合」を防止することができる。
【００１７】
さらに、本発明において、前記シーツ本体に、前記ズレ防止手段としてのスナップボタンの凹状部分又は凸状部分が外部に露出しないようにそれ（それら）を覆うカバー体を備えるようにしたときは、寝たきり患者などの被介護者の身体又は衣服に、前記ズレ防止手段としてのスナップボタンの凹状部分又は凸状部分が当接して、その部分に褥痩（床ずれ）が生じてしまうことを、防止できるようになる。
【図面の簡単な説明】
【００１８】
【図１】（ａ）は本発明の実施形態１に係る医療又は介護用シーツを構成するシーツ本体を示す平面模式図、（ｂ）は本実施形態１に係る医療又は介護用シーツの一部を構成するシート状おむつを示す平面模式図である。
【図２】本実施形態１における前記シーツ本体及シート状おむつと被介護者との位置関係を説明する平面模式図である。
【図３】本実施形態１の動作又は使用方法を説明するための斜視図である。
【図４】本実施形態１の動作又は使用方法を説明するための斜視図である。
【図５】本実施形態１の動作又は使用方法を説明するための斜視図である。
【図６】本実施形態１の動作又は使用方法を説明するための斜視図である。
【図７】本実施形態１の動作又は使用方法を説明するための斜視図である。
【図８】本実施形態１の動作又は使用方法を説明するための斜視図である。
【図９】本発明の実施形態２を説明するための模式図で、（ａ）は本発明の実施形態１に係る医療又は介護用シーツを構成するシーツ本体を示す平面模式図、（ｂ）は本実施形態１に係る医療又は介護用シーツの一部を構成するシート状おむつを示す平面模式図、（ｃ）はシーツ本体に設けられた三角ポケットを示す斜視図である。
【発明を実施するための形態】
【００１９】
〔第１の実施形態〕
以下、本発明の実施の形態を図面を用いて説明する。図１（ａ）は本発明の実施形態１に係る医療又は介護用シーツを構成するシーツ本体を示す平面模式図、図１（ｂ）は本実施形態１に係る医療又は介護用シーツの一部を構成するシート状おむつを示す平面模式図、図２は本実施形態１における前記シーツ本体及シート状おむつと被介護者との位置関係などを説明する平面模式図である。
【００２０】
図１において、１は敷布団又はマットレスの上に配置されるシーツであって例えば毛織物（タオル生地など他の素材でもよい。）から成る略長方形状のシーツ本体（通常の敷布団又はマットレスと略同一のサイズかこれよりも少し小さいサイズのもの）、２は前記シーツ本体１の上に配置されるシート状おむつ（前記シーツ本体１よりも小さいサイズのもの）である（図１（ａ）では、シート状おむつ２が配置される部分を破線で示している）。
【００２１】
本実施形態１において、前記シーツ本体１は、図２に示すように、少なくとも「被介護者１０の腰を覆う「おむつ」１１、腿１２、並びに当該腰（おむつ１１）及び腿１２から被介護者１０から見て左右両方向に少なくとも６００ｍｍ（４００ｍｍ又は５００ｍｍでもよい）以上延びる領域Ａ，Ａ’」と対向する部分を含むようなサイズに形成されている。よって、本実施形態１では、前記シーツ本体１により、被介護者１０の腰（おむつ１１）及び腿１２並びにその周辺部分の上下左右を含む全体を、覆い包むことができる。
【００２２】
また本実施形態１において、前記シート状おむつ２は、図１（ｂ）に示すように、高吸水性樹脂を内部に封入した扁平な袋形状のシート状部分２ａとその外周縁部（高吸水性樹脂が内部に封入されていないため薄いシート状の部分）２ｂとから構成されている。また、前記シート状おむつ２は、図２に示すように、被介護者１０の腰の部分（おむつ１１）及び腿１２などを十分にカバーすることができるように、少なくとも縦６００ｍｍ（又は４００ｍｍ、又は５００ｍｍ）以上及び横９００ｍｍ（又は７００ｍｍ、又は８００ｍｍ）以上のサイズを有するように、形成されている。よって、本実施形態１では、前記シート状おむつ２により、被介護者１０の腰（おむつ１１）及び腿１２並びにその周辺部分の下側と左右を覆うことができる。なお、腰回りのサイズの小さい被介護者１０ならば、上記サイズのシート状おむつ２でも、被介護者１０の腰（おむつ１１）及び腿１２並びにその周辺部分の左右上下を含む全体を、覆い包むことができる。なお、前記シート状おむつ２の被介護者から見て左右方向すなわち図示横方向のサイズを例えば１０００ｍｍ以上のサイズにして、腰回りのサイズの大きい被介護者１０についても、その被介護者１０の腰（おむつ１１）及び腿１２並びにその周辺部分の左右上下を含む全体を、覆い包めるようにしてもよい。
【００２３】
本実施形態１では、図１（ａ）に示すように、前記シーツ本体１の被介護者から見て略上半分の左右両縁部の中、図示右側縁部１ａの裏側（下面側）の図示の４箇所にそれぞれスナップボタンの凸状部分３ａ〜３ｃが、また図示左側縁部１ｂの表側（上面側）の図示の４箇所にそれぞれスナップボタンの凹状部分４ａ〜４ｃが、固定されている。
【００２４】
また、本実施形態１では、図１（ａ）に示すように、前記シーツ本体１中の、前記シート状おむつ２の４個の各隅部及びその周辺部分（前記外周縁部２ｂの一部）が配置される複数箇所に、それぞれ、スナップボタンの凹状部分５が予め固定されている。
【００２５】
次に本実施形態１の動作又は使用方法について説明する。本実施形態１を使用するときは、予め、シーツ本体１の上にシート状おむつ２を配置し、さらにシート状おむつ２がシーツ本体１の上でズレないようにしておく必要がある。そのため、本実施形態１では、シーツ本体１の上にシート状おむつ２を配置した後、シーツ本体１中の「シート状おむつ２の外周縁部２ｂ中の４個の隅部及びその周辺部分」と対向する部分に予め固定されている各スナップボタンの凹状部分（嵌め込まれる側の部分）５に、それぞれ各スナップボタンの凸状部分（嵌め込む側の部分）を、前記シート状おむつ２の外周縁部２ｂを介して嵌め込むことにより、取付け、係止する。これにより、シート状おむつ２が、シーツ本体１の上で位置ズレしないように、シーツ本体１に係止される。
【００２６】
図３はこのときの動作を説明するための斜視図である。図３において、５ａ，５ｂは前記シーツ本体１の所定の複数箇所（前記シート状おむつ２の外周縁部２ｂ中の４つの隅部及びその周辺部分に対応する箇所）に予め縫製などで固定されたスナップボタンの凹状部分、６ａは前記スナップボタンの凹状部分５ａと嵌合可能な凸状部分、６ｂは前記スナップボタンの凹状部分５ｂに嵌合された凸状部分、７ａ，７ｂは前記シート状おむつ２の外周縁部２ｂ中の各隅部及びその周辺部分の取付箇所（前記スナップボタンにより前記シーツ本体１に取り付けられる箇所）である。
【００２７】
図３の例では、前記シート状おむつ２の外周縁部２ｂ中の取付箇所７ｂは、前記凸状部分６ｂが「前記シーツ本体１の前記取付個所７ｂと対応する箇所に予め固定されていた凹状部分」と嵌合することにより、前記シーツ本体１側に固定されている。これに対して、前記シート状おむつ２の外周縁部２ｂ中の取付箇所７ａは、まだ固定されておらず、フリーの状態である。この取付箇所７ａについては、同様にフリーの状態で置かれている凸状部分６ａが、前記取付箇所７ａ（前記シート状おむつ２の外周縁部２ｂの一部）を介して、対応する凹状部分５ａに嵌合されることにより、前記シーツ本体１側に係止、固定される。図４の斜視図は、このようにして、前記シーツ本体１の上にシート状おむつ２が位置ズレしないように係止、固定された状態を示すものである。
【００２８】
また図４において、６は前記シート状おむつ２の外周縁部２ｂ中の複数の取付箇所を、前記シーツ本体１に係止、固定するために、前記スナップボタンの凹状部分５（図４では図示せず）に嵌め込まれた凸状部分である。
【００２９】
次に、本実施形態１に係る医療又は介護用シーツ（シーツ本体１及びシート状おむつ２）により被介護者１０の腰（おむつ１１）、腿１２及びその周辺を包む動作について説明する。この場合は、まず、図２に示すように、本実施形態１に係る医療又は介護用シーツ（シーツ本体１及びシート状おむつ２）を敷布団又はマットレスの上に配置する。その後、被介護者１０を、その腰すなわち「おむつ」１１が本実施形態１に係る医療又は介護用シーツ（シーツ本体１及びシート状おむつ２）の略中心にくるように、寝かせる。
【００３０】
次に、前記シーツ本体１及びシート状おむつ２の略中心部の上に被介護者１０（図３では図示省略）の腰部（図２のおむつ１１参照）を配置した状態から、図５に示すように、シーツ本体１の左右両縁部１ａ，１ｂを被介護者１０の上方で互いに近づける（なお、図５では、前記シート状おむつ２の縁部２ｂ（図１参照）は、便宜上、図示を省略している）。そして、図５の矢印Ｂ１に示すように、シーツ本体１の一方の縁部１ｂ側のスナップボタンの凹状部分４ｃをシーツ本体１の他方の縁部１ａ側のスナップボタンの凸状部分３ｃに嵌合させる。以下同様に、矢印Ｂ２に示すように一方の縁部１ｂ側の凹状部分４ｂを他方の縁部１ａ側の凸状部分３ｂに、矢印Ｂ３に示すように一方の縁部１ｂ側の凹状部分４ａを他方の縁部１ａ側の凸状部分３ａに、それぞれ嵌合させる。
【００３１】
これにより、図６に示すように、前記シート状おむつ２が取り付けられたシーツ本体１（特に前記シーツ本体１中の図示上半分の被介護者１０の腰及び腿１２と対向する部分）が、前記各凸状部分３ａ〜３ｃと前記各凹状部分４ａ〜４ｃとの嵌合により、全体として略筒状に形成される。なお、図６では、前記各凸状部分３ａ〜３ｃと前記各凹状部分４ａ〜４ｃとを、便宜上、互いに近接しているが完全には嵌合していない状態で図示した。
【００３２】
図７は、以上の動作を説明するための斜視図であって、前記シーツ本体１を略筒状に形成するために、前記凹状部分４ｃを前記凸状部分３ｃに、前記凹状部分４ａを前記凸状部分３ａに、前記凹状部分４ｂを前記凸状部分３ｂに、それぞれ嵌合する前の状態を示すものである。
【００３３】
また、図８は、前述した図７の状態から、前記各凹状部分４ｃ，４ａ，４ｂを前記各凸状部分３ｃ，３ａ，３ｂにそれぞれ嵌合した後の、前記シーツ本体１が全体として略筒状に形成された状態を示す斜視図である。
【００３４】
このような本実施形態１を使用するときは、もし被介護者１０のおむつ交換時に、おむつ１１から便や尿が漏れ出ていた場合でも、前述のように被介護者１０のおむつ１１の上下左右の全体を前記シーツ本体１が包むように覆っているので、被介護者１０の下方の敷布団もしくはマットレスだけでなく、上方の掛け布団が汚れることも防止される。さらに、本実施形態１では、被介護者１０のおむつ１１が前記シーツ本体１で覆われるので、被介護者１０のおむつ１１の上に衣服（パジャマのズボンなど）をはかせる必要がない（パジャマのズボンなどをはかなくても、特に恥ずかしくない）ので、もし被介護者１０のおむつ１１交換時に、おむつ１１から便や尿が漏れ出ていた場合でも、被介護者１０の被服が汚れることをも防止することができる。よって、本実施形態１を使用するときは、おむつ１１交換時の介護者の作業負担を大幅に軽減させることができる。
【００３５】
以上のように、本実施形態１においては、前記各凹状部分４ａ〜４ｂ及び各凸状部分３ａ〜３ｃを互いに嵌合させることにより、前記シーツ本体１中の「被介護者１０の腰（おむつ１１）及び腿１２、並びに当該腰（おむつ１１）及び腿１２から被介護者から見て左右方向に延びる領域Ａ，Ａ’」と対向する部分が、全体として被介護者の腰（おむつ１１）及び腿１２をくるむ（包む）略筒状となるように、前記シーツ本体１中の図示左側方向の縁部１ｂ又はその周辺部分と、前記シーツ本体１中の図示右側方向の縁部１ａ又はその周辺部分とを互いに係止、固定するようにしている。このように、本実施形態１においては、前記シーツ本体１が、被介護者の腰（おむつ１１）及び腿１２の左右上下を含む全体を覆う（包む）ように略筒状に形成され配置されると共に、前記シート状おむつ２が、被介護者の腰（おむつ１１）及び腿１２の少なくとも下側と左右を覆う（包む）ように形成され配置されるようにしている。よって、本実施形態によれば、被介護者１０の腰（おむつ１１）及び腿１２の全体が、前記シート状おむつ２が取り付けられた前記シーツ本体１により覆われる（包まれる）ようになる結果、もし被介護者１０のおむつ１１から便や尿が漏れ出た場合でも、漏れ出た便や尿が「被介護者１０の下方の敷布団やマットレス」だけでなく「被介護者１０の上方の掛け布団」をも汚さないようにすることができる。
【００３６】
また、本実施形態１では、特に寝たきりの被介護者の場合において、前述のように被介護者１０の腰（おむつ１１）及び腿１２の左右上下を含む全体が前記シーツ本体１により覆われている（包まれている）ので、おむつ１１をはいた状態のまま（すなわち、パジャマのズボンなどをはかない状態のまま）でも、被介護者１０が羞恥心を抱くなどの不都合はほとんど生じない。よって、本実施形態１によれば、特に被介護者１０が寝たきりのような場合に、おむつ１１をはいた状態のまま（すなわち、パジャマのズボンなどを着用しない状態のまま）、被介護者１０の腰（おむつ１１）及び腿１２の全体を前記シーツ本体１が覆う（包む）ようにすることにより、もし被介護者１０のおむつから便や尿が漏れ出た場合でも、漏れ出た便や尿が「被介護者１０の下方の敷布団やマットレス」及び「被介護者１０の上方の掛け布団」だけでなく、「被介護者１０の着ている衣服（パジャマのズボンなど）」をも汚さないようにすることができる。
【００３７】
また、本実施形態１においては、前記シーツ本体１中の前記左右各縁部１ａ，１ｂ又はその周辺部分を、前述のようなスナップボタンの凸状部分３ａ〜３ｃ及び凹状部分４ａ〜４ｃにより、互いに係止できるようにしたので、介護者は、被介護者１０を前記シーツ本体１及びシート状おむつ２の上に寝かせた後、被介護者１０の腰（おむつ１１）及び腿１２を、全体として略筒状に形成された前記シーツ本体１及びシート状おむつ２でくるむことを、極めて効率的かつ容易に行えるようになる。
【００３８】
また、本実施形態１においては、前記シート状おむつ２の外周縁部２ｂを前記スナップボタン５により前記シーツ本体１に取り付けるようにしたので、前記シート状おむつ２が前記シーツ本体１に対して位置ズレすることがなくなり、被介護者１０を前記シーツ本体１及びシート状おむつ２の上に寝かせて、被介護者１０の腰（おむつ１１）及び腿を前記シーツ本体１及びシート状おむつ２でくるんだ後に、被介護者１０の動作により前記シート状おむつ２が前記シーツ本体１に対して位置ズレしてしまう不都合を、防止できるようになる。
【００３９】
また、本実施形態１においては、前述のように、前記シート状おむつ２の前記シーツ本体１への位置ズレ防止（係止、固定）を、前記のスナップボタンの各部分５及び６を互いに嵌合するだけで行えるようにしたので、前記シート状おむつ２の前記シーツ本体１に対する位置ズレ防止（係止、固定）、を極めて効率的に行うことができる。
【００４０】
〔第２の実施形態〕
次に本発明の実施形態２を図９を参照して説明する。本実施形態２は前記実施形態１と基本的構成は同一であるので、以下では異なる部分についてのみ説明する。
【００４１】
前記の実施形態１では、図１に示すように、前記シート状おむつ２の前記シーツ本体１への位置ズレ防止のために、複数のスナップボタン５を前記シーツ本体１に予め縫製などにより固定するようにしていた。しかし、これらのスナップボタン５は通常は金属製又はプラスチック製など硬い素材から成るものであるため、それが外部に露出している場合は、被介護者１０の皮膚や衣服に当たって褥痩（床ずれ）が生じてしまう可能性がある。
【００４２】
そこで、本実施形態２では、図９（ａ）及び（ｃ）に示すように、前記シーツ本体１に予め固定された複数のスナップボタン５（前記シート状おむつ２の前記シーツ本体１に対する位置ズレ防止用のスナップボタン５）の上方の露出を防いでその上方を覆うための例えば布製の三角ポケット（カバー体）２１を、前記シート本体１上の計４箇所に、縫製などにより設けるようにしている。
【００４３】
よって、本実施形態２によれば、前記実施形態１による作用効果に加えて、前記スナップボタン５が被介護者１０の皮膚や衣服に当たって褥痩（床ずれ）を生じさせてしまうことを防止できるようになる。
【００４４】
以上、本発明の各実施形態１，２について説明したが、本発明は前記の各実施形態１，２として述べたものに限定されるものではなく、様々な修正及び変更が可能である。例えば、前記実施形態１においては、前記シーツ本体１を略筒状に形成するための係止部としてスナップボタン３ａ〜３ｃ及び４ａ〜４ｃを使用したが、本発明はこれに限られるものではなく、例えば、穴に嵌めこむタイプのボタン、鉤付きホック、マジックテープ（商標）、ステープル、紐、又は縫製など、公知の様々な係止のための手段又は方法を使用することができる。
【００４５】
また、前記実施形態１，２においては、前記シート状おむつ２を前記シーツ本体１に対して位置ズレしないようにするための位置ズレ防止手段としてスナップボタン５，６を使用しているが、本発明はこれに限られるものではなく、例えば、穴に嵌め込むボタンを使用すること、前記シート状おむつ２又は前記シーツ本体１の互いに対向する面の複数箇所に摩擦発生用のゴムを付着させることなど、公知の様々な位置ズレ防止手段又は滑り止め用手段を使用することができる。
【００４６】
また、前記実施形態１，２においては、前記シーツ本体１及びシート状おむつ２は略長方形状としたが、本発明ではこれに限られることなく、例えば台形状などとしてもよい。
【００４７】
また、前記実施形態１，２においては、３ａ〜３ｃをスナップボタンの凸状部分とし、４ａ〜４ｃをスナップボタンの凹状部分としたが、本発明では、これとは逆に、３ａ〜３ｃをスナップボタンの凹状部分とし、４ａ〜４ｃをスナップボタンの凸状部分としてもよい。また、前記実施形態１，２ではスナップボタンの凹状部分５を予めシーツ本体１に固定しておきスナップボタンの凸状部分６でシート状おむつ２の外周縁部２ｂをシーツ本体１に係止、固定するようにしたが、本発明では、これとは逆に、スナップボタンの凸状部分を予めシーツ本体に固定しておきスナップボタンの凹状部分でシート状おむつ２の外周縁部をシーツ本体に係止、固定するようにしてもよい。
【符号の説明】
【００４８】
３ａ〜３ｃ    スナップボタンの凸状部分
４ａ〜４ｂ    スナップボタンの凹状部分
１     シーツ本体
１ａ，１ｂ    シーツ本体の左右の縁部
２     シート状おむつ
２ａ   シート状おむつのシート状部分
２ｂ   シート状おむつの外周縁部
５，５ａ，５ｂ，６ａ スナップボタンの凹状部分
６ａ，６ｂ    スナップボタンの凸状部分
７ａ，７ｂ    取付箇所
１０   被介護者
１１   おむつ
１２   腿
２１   三角ポケット
【図１】
2015226583.tif 000003
【図２】
2015226583.tif 000004
【図５】
2015226583.tif 000005
【図６】
2015226583.tif 000006
【図９】
2015226583.tif 000007
【図３】
2015226583.tif 000008
【図４】
2015226583.tif 000009
【図７】
2015226583.tif 000010
【図８】
2015226583.tif 000011